(57)【要約】【課題】高い精度で生成された利用者の嗜好情報を基にＥＰＧ情報から放送コンテンツを検索し、検索により抽出された放送コンテンツを自動録画することができるコンテンツ録画システムを提供する。【解決手段】テレビジョン受像機１０と、オーディオ機器２０と、記録再生装置３０とが家庭内ネットワークを介して接続されることにより構成されたコンテンツ録画システム１において、テレビジョン受像機１０の音量とオーディオ機器２０の音量とＴＶコンテンツの連続視聴時間とから利用者の視聴状態を判定することにより利用者の嗜好情報を作成し、作成された嗜好情報に基づいて抽出されたＴＶコンテンツを自動録画する。【選択図】  図１
2007174539.tif 000002
【特許請求の範囲】
【請求項１】
デジタル放送を受信して映像および音声データを含む放送コンテンツとＥＰＧ情報とを出力する放送受像機と、オーディオコンテンツを出力するオーディオ機器と、前記放送コンテンツを記録および再生する記録再生装置とが家庭内ネットワークを介して接続されたコンテンツ録画システムにおいて、
前記記録再生装置は、
前記放送受像機から出力されている放送コンテンツのＥＰＧ情報と現時点から所定期間先までの各チャンネルのＥＰＧ情報とを取得するＥＰＧ情報取得部と、
前記放送受像機から出力されている放送コンテンツの連続視聴時間を計測する視聴時間計測部と、
前記放送受像機から出力されている放送コンテンツの音量が、予め設定された第１閾値を超えるか否かを判定する放送受像機状態判定部と、
前記オーディオ機器から出力されているオーディオコンテンツの音量が、予め設定された第２閾値を超えるか否かを判定するオーディオ機器状態判定部と、
前記放送受像機から放送コンテンツが出力され且つ前記オーディオ機器からオーディオコンテンツが出力されている状態において、前記放送コンテンツの音量が前記第１閾値以上である場合は前記放送コンテンツは利用者によって視聴されていると判定し、前記放送コンテンツの音量が前記第１閾値未満であって且つ前記オーディオコンテンツの音量が前記第２閾値以上である場合は前記放送コンテンツは利用者によって視聴されていないと判定し、前記放送コンテンツの音量が前記第１閾値未満であって且つ前記オーディオコンテンツの音量が前記第２閾値未満であり、さらに前記連続視聴時間が予め設定された前記第３閾値以上の場合は前記放送コンテンツが利用者によって視聴されていると判定し、前記放送コンテンツの音量が前記第１閾値未満であって且つ前記オーディオコンテンツの音量が前記第２閾値未満であり、さらに前記連続視聴時間が前記第３閾値未満である場合は前記放送コンテンツは利用者によって視聴されていないと判定する視聴状態判定部と、
前記視聴状態判定部で前記放送コンテンツが利用者によって視聴されていると判定されたときに、前記放送コンテンツに対応する電子番組ガイド情報を前記ＥＰＧ情報取得部から取得して嗜好情報として記録する嗜好情報記録部と、
前記嗜好情報記録部で記録された嗜好情報に基づき、前記ＥＰＧ情報取得部によって取得された現時点から所定期間先までの各チャンネルの電子番組ガイド情報から録画対象となる放送コンテンツを検索するコンテンツ検索部と、
前記コンテンツ検索部で検索された放送コンテンツを録画する録画部と、
を備えたことを特徴するコンテンツ録画システム。
【請求項２】
前記家庭内ネットワークはインターネットを介して前記放送コンテンツおよび前記オーディオコンテンツに関連する詳細情報が格納されたサーバに接続され、
前記嗜好情報記録部は、前記サーバから前記詳細情報を取得して嗜好情報として追加記録するように構成したことを特徴とする請求項１記載のコンテンツ録画システム。
【発明の詳細な説明】
【技術分野】
【０００１】
本発明は、利用者の嗜好に合う放送コンテンツを検索して録画するコンテンツ録画システムに関する。
【背景技術】
【０００２】
従来、テレビジョン受像機（以下、「ＴＶ受像機」と称する）で受信したテレビジョンコンテンツ（以下、「ＴＶコンテンツ」と称する）を録画および再生する記録再生装置が広く普及している。
【０００３】
記録再生装置を用いてＴＶコンテンツを録画することにより、利用者は所望の時間に所望のＴＶコンテンツを再生して視聴することが可能になる。
【０００４】
しかし、記録再生装置により所望のＴＶコンテンツを録画するには、予め利用者が視聴したいＴＶコンテンツの放送時間やチャンネル番号を把握して録画予約を設定する等の操作が必要であった。この設定処理は利用者にとって手間がかかるものであり、録画予約をし忘れてしまうことがあるという問題もあった。
【０００５】
この問題を解決するための技術として、特許文献１には、利用者のコンテンツの嗜好度を算出するコンテンツ嗜好度算出方法が記載されている。
【０００６】
この方法では、利用者が視聴したコンテンツの視聴時間や、ＥＰＧ（Electronic Program Guide：電子番組ガイド）情報から取得したタイトルなどのコンテンツ識別情報から生成されたコンテンツ視聴履歴データを集計し、このコンテンツ視聴履歴データを基に利用者の嗜好度を算出する。
【０００７】
この技術を利用して、利用者が予め予約設定をすることなく、利用者の嗜好度の高いＴＶコンテンツをＥＰＧ情報から抽出して自動録画することができる。
【特許文献１】特許第３６５４３４９号公報
【発明の開示】
【発明が解決しようとする課題】
【０００８】
しかし、特許文献１の技術では、コンテンツの視聴時間や視聴履歴データに基づいて利用者の嗜好度を算出しているので、単にＴＶ受像機でＴＶコンテンツが出力されたままの状態であり利用者が視聴していないような場合でも、出力されている時間が長ければ利用者の嗜好度が高いと判断されてしまうという問題があった。
【０００９】
また、利用者が家庭内で複数のＴＶ受像機を利用している場合、嗜好度を検出する装置が内蔵されていないＴＶ受像機で視聴した情報は嗜好度が算出されず、自動録画の機能を使うことができないという問題があった。
【００１０】
また、利用者が入力したキーワードを用いて所望のコンテンツをＥＰＧ情報から検索する技術があるが、検索結果を求めるためには嗜好とは離れたキーワードが入力されることがあり、嗜好情報としては精度が低くなってしまうという問題があった。
【００１１】
本発明は、上記事情に鑑みてなされたものであり、高い精度で生成された利用者の嗜好情報を基にＥＰＧ情報から放送コンテンツを検索し、検索により抽出された放送コンテンツを自動録画することができるコンテンツ録画システムを提供することを目的とする。
【課題を解決するための手段】
【００１２】
上記目的を達成するための本発明の請求項１に記載のコンテンツ録画システムは、デジタル放送を受信して映像および音声データを含む放送コンテンツとＥＰＧ情報とを出力する放送受像機と、オーディオコンテンツを出力するオーディオ機器と、放送コンテンツを記録および再生する記録再生装置とが家庭内ネットワークを介して接続されたものであり、記録再生装置は、放送受像機から出力されている放送コンテンツのＥＰＧ情報と現時点から所定期間先までの各チャンネルのＥＰＧ情報とを取得するＥＰＧ情報取得部と、放送受像機から出力されている放送コンテンツの連続視聴時間を計測する視聴時間計測部と、放送受像機から出力されている放送コンテンツの音量が、予め設定された第１閾値を超えるか否かを判定する放送受像機状態判定部と、オーディオ機器から出力されているオーディオコンテンツの音量が、予め設定された第２閾値を超えるか否かを判定するオーディオ機器状態判定部と、放送受像機から放送コンテンツが出力され且つオーディオ機器からオーディオコンテンツが出力されている状態において、放送コンテンツの音量が第１閾値以上である場合は放送コンテンツは利用者によって視聴されていると判定し、放送コンテンツの音量が第１閾値未満であって且つオーディオコンテンツの音量が第２閾値以上である場合は放送コンテンツは利用者によって視聴されていないと判定し、放送コンテンツの音量が第１閾値未満であって且つオーディオコンテンツの音量が第２閾値未満であり、さらに連続視聴時間が予め設定された第３閾値以上の場合は放送コンテンツが利用者によって視聴されていると判定し、放送コンテンツの音量が第１閾値未満であって且つオーディオコンテンツの音量が第２閾値未満であり、さらに連続視聴時間が第３閾値未満である場合は放送コンテンツは利用者によって視聴されていないと判定する視聴状態判定部と、視聴状態判定部で放送コンテンツが利用者によって視聴されていると判定されたときに、放送コンテンツに対応する電子番組ガイド情報をＥＰＧ情報取得部から取得して嗜好情報として記録する嗜好情報記録部と、嗜好情報記録部で記録された嗜好情報に基づき、ＥＰＧ情報取得部によって取得された現時点から所定期間先までの各チャンネルの電子番組ガイド情報から録画対象となる放送コンテンツを検索するコンテンツ検索部と、コンテンツ検索部で検索された放送コンテンツを録画する録画部とを備えたことを特徴する。
【００１３】
また、請求項２は請求項１記載のコンテンツ録画システムであり、家庭内ネットワークはインターネットを介して放送コンテンツおよびオーディオコンテンツに関連する詳細情報が格納されたサーバに接続され、嗜好情報記録部は、サーバから詳細情報を取得して嗜好情報として追加記録するように構成したことを特徴とする。
【発明の効果】
【００１４】
本発明のコンテンツ録画システムによれば、ホームネットワークを利用し、高い精度で生成された利用者の嗜好情報を基にＥＰＧ情報から放送コンテンツを検索して抽出し、自動録画を行うことができる。
【００１５】
また、ホームネットワークに接続された複数の記録再生装置のそれぞれに対して生成された嗜好情報を基にＥＰＧ情報からコンテンツを検索して抽出し、自動録画を行うことができる。
【発明を実施するための最良の形態】
【００１６】
〈第１実施形態〉
《第１実施形態によるコンテンツ録画システムの構成》
本発明の第１実施形態によるコンテンツ録画システム１の構成を図１を参照して説明する。
【００１７】
本実施形態によるコンテンツ録画システム１は、家庭内の１階と２階とに設置された家電機器がＵＰｎＰ（Universal Plug and Play）技術を用いてホームネットワークとして接続されて構成されている。
【００１８】
１階には家電機器として、テレビジョン放送を受信し映像および音声として出力する放送受像機としてのＴＶ受像機１０と、音楽等の音声を出力するオーディオ機器２０と、コンテンツ検索装置３００を内蔵しＴＶ受像機１０で受信された放送コンテンツであるＴＶコンテンツの録画および再生を行う記録再生装置３０とが設置されている。
【００１９】
ここでいうテレビジョン放送とは、地上波デジタル放送、ＣＳ放送、ＢＳデジタル放送等のデジタル放送である。
【００２０】
２階には、ＴＶ受像機４０と、ＴＶ受像機４０で受信されたＴＶコンテンツの録画および再生を行う記録再生装置５０とが設置されている。
【００２１】
１階の記録再生装置３０は、ＥＰＧ情報を用いて利用者の嗜好に合ったＴＶコンテンツを検索するコンテンツ検索装置３００と、検索されたＴＶコンテンツをＴＶ受像機１０から受信して録画する録画部３１０と、録画したＴＶコンテンツを記録するコンテンツ記録部３２０と、記録されたＴＶコンテンツを利用者の操作により再生する再生部３３０とを有する。
【００２２】
コンテンツ検索装置３００は、ＴＶデバイス情報検出部３０１と、オーディオデバイス情報検出部３０２と、放送受像機状態判定部としてのＴＶ機器状態判定部３０３と、オーディオ機器状態判定部３０４と、視聴時間計測部３０５と、視聴状態判定部３０６と、ＥＰＧ情報取得部３０７と、嗜好情報記録部３０８と、コンテンツ検索部３０９とを有する。
【００２３】
ＴＶデバイス情報検出部３０１は、ＴＶ受像機１０でＴＶコンテンツが出力されているか否かを検出する。
【００２４】
オーディオデバイス情報検出部３０２は、オーディオ機器２０でオーディオコンテンツが出力されているか否かを検出する。
【００２５】
ＴＶ機器状態判定部３０３は、ＴＶ受像機１０から出力されているＴＶコンテンツの音声の音量（以下、「ＴＶ音量」と称する）が予め設定された第１閾値を超えるか否かを判定する。
【００２６】
オーディオ機器状態判定部３０４は、オーディオ機器から出力されているオーディオコンテンツの音量（以下、「オーディオ音量」と称する）が予め設定された第２閾値を超えるか否かを判定する。
【００２７】
視聴時間計測部３０５は、ＴＶ受像機１０から出力されているＴＶコンテンツがチャンネル変更されることなく連続して出力されている時間を、出力されているＴＶコンテンツの連続視聴時間として計測する。
【００２８】
視聴状態判定部３０６は、ＴＶ受像機１０からＴＶコンテンツが出力され且つオーディオ機器２０からオーディオコンテンツが出力されている状態において、ＴＶコンテンツの音量が第１閾値以上である場合はＴＶコンテンツは利用者によって視聴されていると判定し、ＴＶコンテンツの音量が第１閾値未満であって且つオーディオコンテンツの音量が第２閾値以上である場合はＴＶコンテンツは利用者によって視聴されていないと判定し、ＴＶコンテンツの音量が第１閾値未満であって且つオーディオコンテンツの音量が第２閾値未満であり、さらに連続視聴時間が予め設定された第３閾値以上の場合はＴＶコンテンツが利用者によって視聴されていると判定し、ＴＶコンテンツの音量が第１閾値未満であって且つオーディオコンテンツの音量が第２閾値未満であり、さらに連続視聴時間が第３閾値未満である場合はＴＶコンテンツは利用者によって視聴されていないと判定する。
【００２９】
ＥＰＧ情報取得部３０７は、ＴＶ受像機１０から現在出力されているＴＶコンテンツのＥＰＧ情報および現時点から所定期間先までの各チャンネルのＥＰＧ情報を取得する。
【００３０】
嗜好情報記録部３０８は、視聴状態判定部３０６でＴＶ受像機１０から出力されているＴＶコンテンツが利用者によって視聴されていると判定されたときに、現在出力されているＴＶコンテンツに対応するＥＰＧ情報をＥＰＧ情報取得部３０７から取得してＴＶ受像機１０に関する嗜好情報として記録する。
【００３１】
また、嗜好情報記録部３０８は、ＴＶ受像機４０の視聴履歴を取得してＴＶ受像機４０に関する嗜好情報として記録する。
【００３２】
コンテンツ検索部３０９は、嗜好情報記録部３０８で記録されたＴＶ受像機１０に関する嗜好情報に基づき、ＥＰＧ情報取得部３０７で取得された現時点から所定期間先までの各チャンネルのＥＰＧ情報から、記録再生装置３０での録画対象となるＴＶコンテンツを検索する。
【００３３】
また、コンテンツ検索部３０９は、嗜好情報記録部３０８で取得されたＴＶ受像機４０に関する嗜好情報に基づき、ＥＰＧ情報取得部３０７で取得された現時点から所定期間先までの各チャンネルのＥＰＧ情報から、記録再生装置５０での録画対象となるＴＶコンテンツを検索する。
【００３４】
コンテンツ検索部３０９は、記録再生装置３０での録画対象のＴＶコンテンツの検索結果を録画部３１０に出力し、また、記録再生装置５０での録画対象のＴＶコンテンツの検索結果を録画部５１０に出力する。
【００３５】
録画部３１０は、コンテンツ検索部３０９から取得した記録再生装置３０での録画対象のＴＶコンテンツの録画を行う。
【００３６】
コンテンツ記録部３２０は、録画部３１０で録画されたＴＶコンテンツを記録する。
【００３７】
再生部３３０は、コンテンツ記録部３２０に記録されたＴＶコンテンツの再生を利用者により指示されたときに、該当するＴＶコンテンツを再生する。
【００３８】
記録再生装置５０は、コンテンツ検索部３０９から取得した記録再生装置５０での録画対象のＴＶコンテンツの録画を行う録画部５１０と、録画したＴＶコンテンツを記録するコンテンツ記録部５２０と、記録されたＴＶコンテンツを利用者の指示により再生する再生部５３０とを有する。
【００３９】
《第１実施形態によるコンテンツ録画システムの動作》
本実施形態によるコンテンツ録画システム１の動作を説明する。
【００４０】
まず、利用者によるリモコン操作などで記録再生装置３０の電源が投入され、電源が投入されたことを示す信号がＴＶ受像機１０から記録再生装置３０に内蔵されたコンテンツ検索装置３００に送信される。
【００４１】
記録再生装置３０に内蔵されたコンテンツ検索装置３００の動作を図２のフローチャートを参照して説明する。
【００４２】
記録再生装置３０に内蔵されたコンテンツ検索装置３００のＴＶデバイス情報検出部３０１では、ＴＶ受像機１０の電源が投入されたか監視している。ＴＶ受像機１０の電源が投入されＴＶコンテンツが出力されていることを示す信号（以下、「ＴＶ電源ON信号」と称する）がＴＶデバイス情報検出部３０１で受信されると、視聴時間計測部３０５および視聴状態判定部３０６に出力される。
【００４３】
一方、オーディオデバイス情報検出部３０２では、オーディオ機器２０の電源が投入されたか監視している。オーディオ機器２０の電源が投入されオーディオコンテンツが出力されていることを示す信号（以下、「オーディオ電源ON信号」と称する）がオーディオデバイス検出部３０２で受信されると、視聴状態判定部３０６に出力される。
【００４４】
視聴状態判定部３０６では、ＴＶ電源ON信号が取得されると（Ｓ１の「Yes」）、オーディオデバイス情報検出部３０２からオーディオ電源ON信号が出力されているか否かが判定される（Ｓ２）。
【００４５】
視聴状態判定部３０６においてオーディオ電源ON信号が出力されていると判定されたとき（Ｓ２の「Yes」）は、ＴＶ機器状態判定部３０３でＴＶ音量が取得され、このＴＶ音量が第１閾値を超えるか否かが判定される（Ｓ３）。
【００４６】
この第１閾値は、出力されているＴＶコンテンツを利用者が興味を持って視聴しているか否かをＴＶ音量により判定するための値であり、本実施形態においては２０dBとする。
【００４７】
視聴状態判定部３０６においてＴＶ音量が第１閾値を超えると判定されたときは、（Ｓ３の「Yes」）、出力されているＴＶコンテンツは利用者により興味を持って視聴されていると判定され、判定値”1”が返される（Ｓ４）。
【００４８】
一方、ＴＶ音量が第１閾値以下であると判定されたときは（Ｓ３の「No」）、オーディオ音量が第２閾値を超えるか否か判定される（Ｓ５）。
【００４９】
この第２閾値は、出力されているオーディオコンテンツを利用者が興味を持って視聴しているか否かをオーディオ音量により判定するための値であり、本実施形態においては２０dBとする。
【００５０】
視聴状態判定部３０６において、ＴＶ音量が第１閾値以下であり且つオーディオ音量が第２閾値を超えると判定されたときは、（Ｓ５の「Yes」）、利用者の意識はＴＶコンテンツよりもオーディオコンテンツに向いており、ＴＶコンテンツは視聴されていないと判定され、判定値”0”が返される（Ｓ６）。
【００５１】
また、ＴＶ音量が第１閾値以下であり且つオーディオ音量が第２閾値以下であると判定されたときは（Ｓ５の「No」）、視聴時間計測部３０５から現在出力されているＴＶコンテンツの連続視聴時間が取得され、この連続視聴時間が第３閾値を超えるか否か判定される（Ｓ７）。
【００５２】
この第３閾値は、出力されているＴＶコンテンツを利用者が興味を持って視聴しているか否かを連続視聴時間により判定するための値であり、本実施形態においては５分とする。
【００５３】
視聴状態判定部３０６において連続視聴時間が第３閾値を超えると判定されたときは、（Ｓ７の「Yes」）、出力されているＴＶコンテンツは視聴されていると判定され、判定値”1”が返される（Ｓ４）。
【００５４】
また、連続視聴時間が第３閾値以下であると判定されたときは（Ｓ７の「No」）、出力されているＴＶコンテンツは視聴されていないと判定され、判定値”0”が返される（Ｓ６）。
【００５５】
また、ステップＳ２において、オーディオ機器２０の電源が投入されてなくオーディオ電源ON信号が視聴状態判定部３０６で取得されないときは、出力されているＴＶコンテンツは視聴されていると判定され、判定値”1”が返される（Ｓ４）。
【００５６】
視聴状態判定部３０６において返された判定値は嗜好情報記録部３０８に出力され、ＴＶ受像機１０に記録される。この際、判定値”1”の場合はＴＶ受像機１０で出力されているＴＶコンテンツのタイトルや放送日時等のコンテンツ識別情報がＥＰＧ情報取得部３０７から取得され、判定値とともに嗜好情報として記録される（Ｓ８）。
【００５７】
次に、コンテンツ検索部３０９において、嗜好情報記録部３０８に記録された嗜好情報に基づいてＥＰＧ情報取得部３０７で取得された所定期間（例えば８日間）先までの各チャンネルのＥＰＧ情報の中から記録再生装置３０での録画対象となるＴＶコンテンツが検索される（Ｓ９）。
【００５８】
以上のようにコンテンツ検索装置３００で検索された結果抽出された番組は録画対象のＴＶコンテンツとして録画部３１０に予約される。
【００５９】
録画部３１０では、予約された情報に従ってＴＶコンテンツが録画され、コンテンツ記録部３２０に記録される。
【００６０】
コンテンツ記録部３２０に記録されたＴＶコンテンツは利用者の操作により利用者の所望の時にＴＶ受像機１０で再生させることができる。
【００６１】
また、記録再生装置３０において、２階に設置されたＴＶ受像機４０の視聴状態情報がＴＶ受像機４０に関する嗜好情報として記録される。
【００６２】
コンテンツ検索部３０９ではＴＶ受像機４０の嗜好情報に基づいて、ＥＰＧ情報取得部３０７で取得された所定期間（例えば８日間）先までのＥＰＧ情報の中から記録再生装置５０での録画対象となるＴＶコンテンツが検索される。
【００６３】
検索された結果抽出された番組は録画対象のＴＶコンテンツとして録画部５１０に予約される。
【００６４】
録画部３１０では、予約された情報に従ってＴＶコンテンツが録画され、コンテンツ記録部５２０に記録される。
【００６５】
コンテンツ記録部５２０に記録されたＴＶコンテンツは利用者の操作により利用者の所望の時にＴＶ受像機４０で再生させることができる。
【００６６】
以上の第１実施形態によれば、家庭内の家電機器がホームネットワークで接続されることにより、オーディオ機器の音量を考慮したＴＶ受像機の視聴情報を生成することが可能になり、精度の高い利用者の嗜好情報を生成してコンテンツ検索を行うことができる。
【００６７】
また、ホームネットワークにより、１台のコンテンツ検索装置で家庭内の他のＴＶ受像機に接続された記録再生装置からも視聴情報を取得することができ、複数のＴＶ受像機に対する利用者の嗜好情報を生成することもできる。
【００６８】
〈第２実施形態〉
《第２実施形態によるコンテンツ録画システムの構成》
本発明の第２実施形態によるコンテンツ録画システム２を図３を参照して説明する。
【００６９】
本実施形態によるコンテンツ録画システム２は、ホームネットワークがインターネット６０を介してＷｅｂサーバ７０に接続されている他は第１実施形態と同様であるため詳細な説明は省略する。
【００７０】
Ｗｅｂサーバ７０は、音楽コンテンツや映像コンテンツに関するアーティストやコンテンツ内容に関する詳細な情報を有する。
【００７１】
《第２実施形態によるコンテンツ録画システムの動作》
本実施形態によるコンテンツ録画システム２の動作において、図２に示すステップＳ１〜ステップＳ８までの処理は第１実施形態と同様であるため詳細な説明は省略する。
【００７２】
ステップＳ８において嗜好情報が記録されると、視聴されていると判定されたＴＶコンテンツに関してはさらにインターネット６０を介して接続されたＷｅｂサーバ７０から詳細な情報が取得される。
【００７３】
また、オーディオ機器において音楽ＣＤが再生された場合、この音楽ＣＤのアーティストに関する詳細情報などがインターネット６０を介してＷｅｂサーバ７０から取得され、嗜好情報記録部３０８に記録される。
【００７４】
上記の処理により嗜好情報記録部３０８に記録された嗜好情報に基づいて、ＥＰＧ情報取得部３０７で取得された所定期間（例えば８日間）先までのＥＰＧ情報の中から記録再生装置３０での録画対象となるＴＶコンテンツが検索される（Ｓ９）。
【００７５】
以上の第２実施形態によれば、Ｗｅｂサーバ７０からより詳細なコンテンツの情報を取得することにより、さらに精度の高い利用者の嗜好情報を得ることができる。
【図面の簡単な説明】
【００７６】
【図１】本発明の第１実施形態によるコンテンツ録画システムの構成を示すブロック図である。
【図２】本発明の第１実施形態および第２実施形態によるコンテンツ録画システムの動作を示すフローチャートである。
【図３】本発明の第２実施形態によるコンテンツ録画システムの構成を示すブロック図である。
【符号の説明】
【００７７】
１…コンテンツ録画システム
２…コンテンツ録画システム
１０…ＴＶ受像機
２０…オーディオ機器
３０…記録再生装置
４０…ＴＶ受像機
５０…記録再生装置
６０…インターネット
７０…Ｗｅｂサーバ
３００…コンテンツ検索装置
３０１…ＴＶデバイス情報検出部
３０２…オーディオデバイス情報検出部
３０３…ＴＶ機器状態判定部
３０４…オーディオ機器状態判定部
３０５…視聴時間計測部
３０６…視聴状態判定部
３０７…ＥＰＧ情報取得部
３０８…嗜好情報記録部
３０９…コンテンツ検索部
３１０…録画部
３２０…コンテンツ記録部
３３０…再生部
５１０…録画部
５２０…コンテンツ記録部
５３０…再生部
【図１】
2007174539.tif 000003
【図２】
2007174539.tif 000004
【図３】
2007174539.tif 000005